(57)【要約】【課題】過電流や過電圧が発生しても誤動作が発生するこなく正確なＬＥＤ点灯制御を行なうことである。【解決手段】ＬＥＤの点灯を定電流制御する一方、ＬＥＤの点灯制御の誤動作を保護する保護回路を備えたＬＥＤ点灯制御装置において、まず、ＬＥＤに流れた電流とＬＥＤの端電圧を検出する。そして、その検出の結果に基づいて、保護回路により、入力されたイネーブル信号によりＬＥＤに電流を供給する第１のトランジスタを駆動する定電流制御回路の動作をリセットするリセット信号を生成する。一方、第２のトランジスタによりＬＥＤの点灯と消灯を制御するためのＬＥＤ制御信号の状態遷移に従って、一定期間、パルス信号を出力し、ＡＮＤゲートによりパルス信号とリセット信号とのＡＮＤ演算を行なう。そして、そのＡＮＤ演算の結果得られるＡＮＤゲートからの出力信号に従って、定電流制御回路のリセット動作を制御する。【選択図】  図３
2010157477.tif 000002
【特許請求の範囲】
【請求項１】
ＬＥＤの点灯を定電流制御するＬＥＤ点灯制御装置であって、
前記ＬＥＤへの電流の供給を制御する第１のトランジスタと、
入力されたイネーブル信号により前記第１のトランジスタの駆動を制御する定電流制御回路と、
入力されたＬＥＤ制御信号により前記ＬＥＤの点灯を制御する第２のトランジスタと、
前記第２のトランジスタの制御によって前記ＬＥＤに流れた電流と前記ＬＥＤの端電圧を検出し、該検出の結果に基づいて、前記定電流制御回路の動作をリセットするリセット信号を出力する保護回路と、
前記ＬＥＤの点灯と消灯を制御するために入力される前記ＬＥＤ制御信号の状態遷移に従って、一定期間、パルス信号を出力するマスク回路と、
前記パルス信号と前記リセット信号とのＡＮＤ演算を行なうＡＮＤゲートとを有し、
前記ＡＮＤゲートからの出力信号に従って、前記定電流制御回路のリセット動作を制御することを特徴とするＬＥＤ点灯制御装置。
【請求項２】
前記マスク回路は、前記ＬＥＤ制御信号がＬＥＤの点灯を指示する状態からＬＥＤの消灯を指示する状態に遷移した場合と、前記ＬＥＤ制御信号がＬＥＤの消灯を指示する状態からＬＥＤの点灯を指示する状態に遷移した場合とに、前記パルス信号を出力することを特徴とする請求項１に記載のＬＥＤ点灯制御装置。
【請求項３】
前記パルス信号により、前記保護回路から出力される前記リセット信号を無効にすることを特徴とする請求項２に記載のＬＥＤ点灯制御装置。
【請求項４】
前記保護回路は、設定された基準電圧と前記ＬＥＤの端電圧との比較により、低電圧或は過電圧の検出を行うことを特徴とする請求項１乃至３のいずれか１項に記載のＬＥＤ点灯制御装置。
【請求項５】
請求項１乃至４のいずれか１項に記載のＬＥＤ点灯制御装置を用いた記録装置。
【請求項６】
前記ＬＥＤは前記記録装置のスイッチの状態をユーザに知らせるためのランプとして用いられることを特徴とする請求項５に記載の記録装置。
【請求項７】
前記ＬＥＤは前記記録装置が備える読取部における光源として用いられることを特徴とする請求項５に記載の記録装置。
【請求項８】
ＬＥＤの点灯を定電流制御する一方、前記ＬＥＤの点灯制御の誤動作を保護する保護回路を備えたＬＥＤ点灯制御装置のＬＥＤ点灯制御方法であって、
入力されたイネーブル信号により前記ＬＥＤへの電流の供給を制御する第１のトランジスタの制御によって前記ＬＥＤに流れる電流と前記ＬＥＤの端電圧を検出する検出工程と、
前記検出工程における検出の結果に基づいて、前記保護回路により、前記ＬＥＤに電流を供給する前記第１のトランジスタを駆動する定電流制御回路の動作をリセットするリセット信号を生成するリセット信号の生成工程と、
第２のトランジスタにより前記ＬＥＤの点灯と消灯を制御するために入力されるＬＥＤ制御信号の状態遷移に従って、一定期間、パルス信号を出力するパルス信号の出力工程と、
ＡＮＤゲートにより前記パルス信号と前記リセット信号とのＡＮＤ演算を行ない、該ＡＮＤ演算の結果、得られる前記ＡＮＤゲートからの出力信号に従って、前記定電流制御回路のリセット動作を制御することを特徴とするＬＥＤ点灯制御方法。
【発明の詳細な説明】
【技術分野】
【０００１】
本発明はＬＥＤ点灯制御装置、その装置を用いた記録装置、及びＬＥＤ点灯制御方法に関する。
【背景技術】
【０００２】
バックブースト型ＤＣ／ＤＣコンバータを用いたＬＥＤ定電流駆動装置における従来の保護回路は、定電流駆動装置内における特定個所に流れる電流、或は特定個所における電圧を監視し、これらが異常な値を示したときに定電流動作を強制的に停止している。
【０００３】
例えば、特許文献１で開示されているように、マイコンを使って負荷の一端の電圧を監視し、それが既設定の閾値を超えた場合に定電流駆動動作を停止するのである。
【０００４】
また、特許文献２には印刷装置の操作部に設けられたＬＥＤランプの点灯制御について開示されており、特に、印刷装置が省電力時におけるＬＥＤ点灯制御について記載している。
【特許文献１】特開２００６−１３８５７４号公報（特願２００６−１３８５７４号）
【特許文献２】特開２００６−２６３９５５号公報
【特許文献３】特開２００７―１４１３２１号公報
【発明の開示】
【発明が解決しようとする課題】
【０００５】
しかしながら上記従来例のような、ＬＥＤに並列接続したトランジスタを用いてＬＥＤを点灯／消灯制御するＬＥＤ定電流駆動装置では、トランジスタをオン／オフする毎に定電流駆動装置内に発生する過電流、過電圧を保護回路が誤検知してしまう恐れがある。
【０００６】
このような問題は、特許文献２あるいは特許文献３に開示された印刷装置のＬＥＤ点灯制御において生じえる。
【０００７】
本発明は上記従来例に鑑みてなされたもので、過電流や過電圧が発生しても誤動作が発生するこなく正確なＬＥＤ点灯制御がＬＥＤ点灯制御装置、その装置を用いた記録装置、及びＬＥＤ点灯制御方法を提供することを目的とする。
【課題を解決するための手段】
【０００８】
上記目的を達成するために本発明のＬＥＤ点灯制御装置は、以下のような構成からなる。
【０００９】
即ち、ＬＥＤの点灯を定電流制御するＬＥＤ点灯制御装置であって、前記ＬＥＤへの電流の供給を制御する第１のトランジスタと、入力されたイネーブル信号により前記第１のトランジスタの駆動を制御する定電流制御回路と、入力されたＬＥＤ制御信号により前記ＬＥＤの点灯を制御する第２のトランジスタと、前記第２のトランジスタの制御によって前記ＬＥＤに流れた電流と前記ＬＥＤの端電圧を検出し、該検出の結果に基づいて、前記定電流制御回路の動作をリセットするリセット信号を出力する保護回路と、前記ＬＥＤの点灯と消灯を制御するために入力される前記ＬＥＤ制御信号の状態遷移に従って、一定期間、パルス信号を出力するマスク回路と、前記パルス信号と前記リセット信号とのＡＮＤ演算を行なうＡＮＤゲートとを有し、前記ＡＮＤゲートからの出力信号に従って、前記定電流制御回路のリセット動作を制御することを特徴とする。
【００１０】
また他の発明によれば、上記構成のＬＥＤ点灯制御装置を用いた記録装置を備える。
【００１１】
さらに他の発明によれば、ＬＥＤの点灯を定電流制御する一方、前記ＬＥＤの点灯制御の誤動作を保護する保護回路を備えたＬＥＤ点灯制御装置のＬＥＤ点灯制御方法であって、入力されたイネーブル信号により前記ＬＥＤへの電流の供給を制御する第１のトランジスタの制御によって前記ＬＥＤに流れる電流と前記ＬＥＤの端電圧を検出する検出工程と、前記検出工程における検出の結果に基づいて、前記保護回路により、前記ＬＥＤに電流を供給する前記第１のトランジスタを駆動する定電流制御回路の動作をリセットするリセット信号を生成するリセット信号の生成工程と、第２のトランジスタにより前記ＬＥＤの点灯と消灯を制御するために入力されるＬＥＤ制御信号の状態遷移に従って、一定期間、パルス信号を出力するパルス信号の出力工程と、ＡＮＤゲートにより前記パルス信号と前記リセット信号とのＡＮＤ演算を行ない、該ＡＮＤ演算の結果、得られる前記ＡＮＤゲートからの出力信号に従って、前記定電流制御回路のリセット動作を制御することを特徴とするＬＥＤ点灯制御方法を備える。
【発明の効果】
【００１２】
従って本発明によれば、ＬＥＤ点灯／消灯制御において過電流や過電圧が発生しても保護回路により誤動作が発生することなく、正確なＬＥＤ点灯制御が可能となるという効果がある。
【発明を実施するための最良の形態】
【００１３】
以下添付図面を参照して本発明の好適な実施例について、さらに具体的かつ詳細に説明する。なお、既に説明した部分には同一符号を付し重複説明を省略する。
【００１４】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
さらに、「インク」（「液体」と言う場合もある）とは、上記「記録（プリント）」の定義と同様広く解釈されるべきものである。従って、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００１７】
＜多機能記録装置の説明（図１Ａ〜図１Ｂ）＞
図１Ａは本発明の代表的な実施例であり、主に記録部とスキャナ部で構成されている多機能記録装置１０１（以下、ＭＦＰ）の記録部の概略構成を示す斜視図である。
【００１８】
この記録部にはインクジェットシリアルプリンタが、スキャナ部にはＣＣＤ方式のフラットヘッドスキャナが内蔵されている。
【００１９】
また、構造的には記録部の上部にスキャナ部が設置された構成となっている。スキャナ部には画像原稿を押えるための上蓋１０６が設けられている。上蓋１０６はヒンジ（不図示）により回動可能である。一方、記録部には記録後の記録媒体を装置外に排出する排紙部１０７、記録に用いる記録紙などの記録媒体を積載した給紙部１０８が備えられる。
【００２０】
図１Ａに示すように、記録部は主に、ヘッドキャリッジ４０１、記録ヘッド４０２、インクタンク４０３〜４０６、シャフト４０７、搬送ローラ４０９、プラテン４１０、ヘッドキャリッジモータ（不図示）、搬送モータ（不図示）によって構成されている。
【００２１】
ヘッドキャリッジ４０１は、記録ヘッド４０２と、黒インクを収容したインクタンク４０３、シアンインクを収容したインクタンク４０４、マゼンタインクを収容したインクタンク４０５、イエロインクを収容したインクタンク４０６を搭載する。そして、ヘッドキャリッジ４０１を支えるシャフト４０７に沿って矢印Ｂ方向に移動しながら、インク液滴を記録紙４０８に吐出して記録を行なう。
【００２２】
記録動作時には、給紙部１０８内の一番上の記録紙４０８を搬送ローラ４０９と駆動モータを使って矢印Ｃが示すようにＵ字状に引き込む。記録紙４０８の先端が記録ヘッド４０２の下に到達すると同時にヘッドキャリッジ４０１は矢印Ｂ方向に往復移動し、記録紙４０８に記録ヘッド４０２からインク液滴を吐出して１走査分の記録を行う。その後、搬送ローラ４０９により１走査分に相当する長さ記録紙４０８を搬送し、再びヘッドキャリッジ４０１が走査し、記録を行う。この動作を繰り返し、記録が終了した後、記録紙４０８を排紙部１０７上に排紙し印刷動作完了となる。
【００２３】
図１ＢはＭＦＰ１０１の上面図である。
【００２４】
この図は、ＭＦＰ１０１の開閉蓋を開いた状態を示している。
【００２５】
図１Ｂに示すように、上蓋１０６を持ち上げるとスキャナ部の構造を見ることができる。スキャナ部は主にスキャナキャリッジ２０１、シャフト２０２、原稿２０３を載置するガラス２０４、スキャナキャリッジ２０１を移動させるためのスキャナキャリッジモータ２０５によって構成されている。また、スキャナキヤリッジ２０１は光源、ミラー、レンズ、ＣＣＤなどで構成されるスキャナユニットを搭載し、スキャナキャリッジ２０１はシャフト２０２上を矢印Ａ方向に移動し、原稿２０３の画像を光学的に読取る。
【００２６】
原稿２０３の画像を読取る場合は、ＭＦＰ１０１の上蓋１０６を持ち上げ、読取対象の原稿２０３をガラス２０４の上に載置し、上蓋１０６を降ろし、操作部１０４を操作してＭＦＰに読取指示を与える。
【００２７】
＜多機能記録装置の制御構成（図２）＞
図２は図１に示した記録装置の制御構成を示すブロック図である。
【００２８】
図２に示すように、コントローラ６００は、ＭＰＵ６０１、ＲＯＭ６０２、特殊用途集積回路（ＡＳＩＣ）６０３、ＲＡＭ６０４、システムバス６０５、Ａ／Ｄ変換器６０６などで構成される。ここで、ＲＯＭ６０２は後述する制御シーケンスに対応したプログラム、所要のテーブル、その他の固定データを格納する。ＡＳＩＣ６０３は、キャリッジモータＭ１の制御、搬送モータＭ２の制御、及び、記録ヘッド４０２の制御のための制御信号を生成する。ＲＡＭ６０４は、画像データの展開領域やプログラム実行のための作業用領域等として用いられる。システムバス６０５は、ＭＰＵ６０１、ＡＳＩＣ６０３、ＲＡＭ６０４を相互に接続してデータの授受を行う。Ａ／Ｄ変換器６０６は以下に説明するセンサ群からのアナログ信号を入力してＡ／Ｄ変換し、デジタル信号をＭＰＵ６０１に供給する。
【００２９】
また、図２において、６１０は画像データの供給源となるコンピュータ（或いは、画像読取り用のリーダやデジタルカメラなど）でありホスト装置と総称される。ホスト装置６１０とＭＦＰ１０１との間ではインタフェース（Ｉ／Ｆ）６１１を介して画像データ、コマンド、ステータス信号等を送受信する。この画像データは、例えば、ラスタ形式で入力される。
【００３０】
さらに、６２０はスイッチ群であり、電源スイッチ６２１、プリントスイッチ６２２、回復スイッチ６２３などから構成される。これらのスイッチ夫々には、その状態をユーザに知らせるためのＬＥＤランプ６２１Ｌ、６２２Ｌ、６２３Ｌが設けられており、そのＬＥＤランプの点灯／消灯を制御するためのＬＥＤコントローラ６０７がコントローラ６００には設けられている。
【００３１】
６３０は装置状態を検出するためのセンサ群であり、位置センサ６３１、温度センサ６３２等から構成される。
【００３２】
さらに、６４０はキャリッジ２を矢印Ａ方向に往復走査させるためのキャリッジモータＭ１を駆動させるキャリッジモータドライバ、６４２は記録媒体Ｐを搬送するための搬送モータＭ２を駆動させる搬送モータドライバである。
【００３３】
ＡＳＩＣ６０３は、記録ヘッド４０２による記録走査の際に、ＲＡＭ６０４の記憶領域に直接アクセスしながら記録ヘッドに対して記録素子（吐出用のヒータ）を駆動するためのデータを転送する。
【００３４】
次に、以上の構成の記録装置に用いられるＬＥＤコントローラについて説明する。
【００３５】
図３はＬＥＤコントローラ６０７の構成を示すブロック図である。
【００３６】
図３に示されるように、ＬＥＤ１１４に電流を供給して駆動するトランジスタ１１０は定電流制御回路１０５の出力に応じて電源ＶＭをスイッチングし、断続的に次段回路へ電力を供給する。従って、トランジスタ（第１のトランジスタ）１１０は電流制御用のトランジスタとしての役割を果たす。ショットキーバリアダイオード（ＳＢＤ）１１６はトランジスタ１１０がオフしているときに次段回路に電力を回生供給する。チョークコイル（Ｌ）１１２はトランジスタ１１０を介して電源から供給される電力を一時的に蓄え、コンデンサ（Ｃ）１１３はトランジスタ１１０によるスイッチング動作により生じる脈動電流を平滑する。トランジスタ１１１はイネーブル信号ＬＥＤ＿ＣＯＮＴの出力に応じてＬＥＤ１１４を点灯／消灯制御し、ＬＥＤ１１４を点灯するときはオフとなり、消灯するときにオンとなる。従って、トランジスタ（第２のトランジスタ）１１１はＬＥＤ点灯制御用のトランジスタとしての役割を果たす。
【００３７】
定電流制御回路１０５はイネーブル信号ＥＮＢの出力に応じて電流検出抵抗（Ｒｓ）１１５の端電圧ｆが一定になるようトランジスタ１１０を制御する。電流計１０４はトランジスタ１１０に流れる電流を測定し、その結果を保護回路１０２に伝える。
【００３８】
保護回路１０２は電流計１０４の電流測定結果と電流検出抵抗（Ｒｓ）１１５の端電圧ｆとを監視する。そして、マスク回路１０１の出力ｃが非アクティブ状態であり、且つ保護回路１０２の内部に設定された基準電圧（Ｖref）を超えた場合はリセット信号ｃを出力して、定電流制御回路１０５の動作を強制的に停止するよう動作（リセット動作）する。マスク回路１０１は入力されたＬＥＤ制御信号ＬＥＤ＿ＣＯＮＴを監視し、ＬＥＤ制御信号ＬＥＤ＿ＣＯＮＴの信号レベルがＨからＬ、あるいはＬからＨに状態遷移したことを検知すると、出力信号ｃを一定期間アクティブにして出力する。なお、ＬＥＤ制御信号ＬＥＤ＿ＣＯＮＴにおいて、Ｈは点灯を指示し、Ｌは消灯を指示する。
【００３９】
図４は図３に示すＬＥＤコントローラの各部の信号波形を示すタイムチャートである。
【００４０】
図４に示すように、ｔ＝Ｔ１において入力されたイネーブル信号ＥＮＢの信号レベルがＨになると、定電流制御回路１０５が動作を開始し、電流検出抵抗（Ｒｓ）の端電圧ｆが一定電圧になるまでトランジスタ１１０をオンし続ける。つまり、トランジスタ（第１のトランジスタ）１１０はイネーブル信号ＥＮＢにより制御される。図４では、トランジスタ１１０の出力電圧波形をｅ、チョークコイル（Ｌ）１１２に流れる電流をｘ、ＬＥＤ１１４に流れる電流をｙ、トランジスタ１１１に流れる電流をｚとして示している。
【００４１】
時刻ｔ＝Ｔ１では、ＬＥＤ制御信号ＬＥＤ＿ＣＯＮＴの信号レベルがＬであるため、トランジスタ１１０がオンすることでチョークコイル（Ｌ）１１２→トランジスタ１１１→電流検出抵抗（Ｒｓ）の経路で電流が流れる。このため、チョークコイル（Ｌ）１１２に流れる電流ｘと、トランジスタ１１１に流れる電流ｚと、電流検出抵抗（Ｒｓ）１１５の端電圧ｆとはｔ＝Ｔ１〜Ｔ２の区間で徐々に上昇していく。
【００４２】
次に、ｔ＝Ｔ２において、電流検出抵抗（Ｒｓ）１１５の端電圧ｆが定電流制御回路１０５内にある基準電圧（Ｖref）に達すると定電流制御回路１０５はトランジスタ１１０を一定期間オフにする。この間、チョークコイル（Ｌ）１１２に蓄えられたエネルギーはショットキーバリアダイオード（ＳＢＤ）１１６を介してトランジスタ１１１と電流検出抵抗（Ｒｓ）１１５に回生される。その一定期間が過ぎ、電流検出抵抗（Ｒｓ）１１５の端電圧ｆが基準電圧（Ｖref）を下回ると定電流制御回路１０５はトランジスタ１１０を再びオンする。
【００４３】
このように、定電流制御回路１０５は電流検出抵抗（Ｒｓ）１１５の端電圧ｆを監視しながら一定周期でトランジスタ１１０のオン、オフを繰り返し、電流検出抵抗（Ｒｓ）に流れる電流を“Ｖref／Ｒｓ”に制御する。このことは、トランジスタ１１０の出力電圧波形ｅが図４にｔ＝Ｔ２以降、オンオフを繰り返していることとして示されている。
【００４４】
このとき、チョークコイル（Ｌ）１１２には図４のｘに示すようにリップル電流が生じるが、このリップル成分はコンデンサ（Ｃ）１１３に流れるため、次段にあるＬＥＤ１１４やトランジスタ１１１に流れる電流ｙやｚには伝播しない。
【００４５】
次に、ＬＥＤ１１４を点灯するときの動作を図４を参照して説明する。
【００４６】
ＬＥＤを点灯するには、ｔ＝Ｔ３において、ＬＥＤ制御信号ＬＥＤ＿ＣＯＮＴの信号レベルをＨにする。これにより、ｔ＝Ｔ４において、トランジスタ１１１に流れていた電流ｚがゼロに落ち、ＬＥＤ１１４に電流ｙが流れはじめる。つまり、トランジスタ（第２のトランジスタ）１１１はＬＥＤ制御信号ＬＥＤ＿ＣＯＮＴにより制御される。このとき、コンデンサ（Ｃ）１１３の端子間電圧が（Ｖｃｅ２＋Ｖref）から（Ｖｆ＋Ｖref）まで上昇する。このため、ｔ＝Ｔ４における電流ｘが示すように、コンデンサ（Ｃ）１１３にはスパイク状の充電電流がトランジスタ１１０→チョークコイル（Ｌ）１１２の経路を介して流れる。これにより、保護回路１０２は、図４に示されているように、このスパイク状の充電電流を過電流として検出することになる。
【００４７】
また、トランジスタ１１１がオフした直後、ＬＥＤに１１４流れる電流ｙはゼロであるが、コンデンサ（Ｃ）１１３の端子間電圧の上昇に伴い、電流検出抵抗（Ｒｓ）１１５に流れる電流は“Ｖref／Ｒｓ”になるまで徐々に増加する。このため、ｔ＝Ｔ４で電流検出抵抗（Ｒｓ）１１５の端電圧ｆは一旦ゼロに落ち、その後、ｔ＝Ｔ５において基準電圧Ｖrefに等しくなるまで徐々に増加する。つまり、保護回路１０２は、図４に示されているように、基準電圧Ｖrefとの比較で、ｔ＝Ｔ４〜Ｔ５の区間に低電圧（基準電圧Ｖrefよりも低い）を検出することになる。
【００４８】
一方、マスク回路１０１はＬＥＤ制御信号ＬＥＤ＿ＣＯＮＴの信号レベルがＬからＨに状態遷移したことを検出し、ｔ＝Ｔ３〜Ｔ６の期間に、図４に示されているように信号ｃの出力レベルがＨとなるパルス信号を出力する。これにより、この期間、リセット信号ｄの状態に係わらず、ＡＮＤ演算の結果、ＡＮＤゲート１０３のゲートは閉じられる。言い換えると、リセット信号が定電流制御回路１０５に入力されず、無効になる。上述のように、コンデンサ（Ｃ）１１３の充電電流によるトランジスタ１１０電流の急激な上昇や、電流検出抵抗（Ｒｓ）１１５の端子間電圧ｆの一時的な下落によって保護回路１０２がアクティブ状態になることがある。しかしながら、そのようになったとしても、保護回路１０２がアクティブとなった場合に出力されるリセット信号が、定電流制御回路１０５に達することはない。即ち、保護回路からの出力信号が、マスク回路１０１とＡＮＤ回路によって遮断され、その結果定電流制御回路によるＬＥＤの電流制御はそのまま継続されることになる。
【００４９】
同様に、ＬＥＤ１１４を消灯するときの動作をさらに図４を参照して説明する。
【００５０】
まず、ｔ＝Ｔ７において、ＬＥＤ１１４を消灯するにはＬＥＤ制御信号ＬＥＤ＿ＣＯＮＴの信号レベルをＬにする。これにより、トランジスタ１１１はオンになり、ｔ＝Ｔ８では電流ｚが流れ始め、ＬＥＤ１１４は端子間電圧がＶｃｅまで下落するためＬＥＤ１１４の電流ｙはゼロに落ちる。このとき、コンデンサ（Ｃ）１１３の端子間電圧が（Ｖｆ＋Ｖref）から（Ｖｃｅ２＋Ｖref）に下がる間、電流検出抵抗（Ｒｓ）１１５の端電圧ｆは一旦、ｔ＝Ｔ８においてＶｆだけ上がる。その後、ｔ＝Ｔ９において基準電圧Ｖrefに等しくなるまで徐々に減少する。つまり、保護回路１０２は、基準電圧Ｖrefとの比較で、図４に示されているように、ｔ＝Ｔ８〜Ｔ９の区間に過電圧（基準電圧Ｖrefよりも高い）を検出することになる。
【００５１】
一方、マスク回路１０１はＬＥＤ制御信号ＬＥＤ＿ＣＯＮＴの信号レベルがＨからＬに状態遷移したことを検出し、図４に示されているように、ｔ＝Ｔ７〜Ｔ１０の期間に信号ｃのレベルがＨとなるパルス信号を出力する。これにより、この期間、リセット信号ｄの状態に係わらず、ＡＮＤ演算の結果、ＡＮＤゲート１０３のゲートは閉じられる。言い換えると、リセット信号は無効になる。上述のように、電流検出抵抗（Ｒｓ）１１５の端子間電圧ｆの一時的な上昇によって保護回路１０２がアクティブ状態になることがある。しかしながら、そのようになったとしても、保護回路１０２の出力は定電流制御回路１０５に達することはなく、マスクされる。
【００５２】
従って以上説明した実施例に従えば、ＬＥＤの点灯／消灯時にコンデンサの充電電流によるトランジスタ電流の急激な上昇や電流検出抵抗の端子間電圧の一時的な変動によって保護回路がアクティブ状態になっても、その状態が定電流制御回路に及ぶことはない。このように、保護回路の誤動作が発生しても定電流制御回路は正常に動作し、正常なＬＥＤ点灯制御を行なうことができる。
【００５３】
なお、以上の実施例では、記録装置の各スイッチあるいは読取部が備える光源に設けられたＬＥＤランプの点灯制御について説明したが本発明はこれによって限定されるものではない。記録装置にはスイッチ以外にもＬＥＤが設けられる場所がある。例えば、インクタンクにもその正確な装着有無を検出するためにＬＥＤが設けられることもあるし、操作パネルのＬＣＤにもそのバックライトとしてＬＥＤが用いられることがある。このようなＬＥＤに対しても上述のＬＥＤ点灯制御は適用可能である。
【００５４】
また、以上の実施例において、記録装置に適用される記録ヘッドから吐出される液滴はインクであるとして説明し、さらにインクタンクに収容される液体はインクであるとして説明したが、その収容物はインクに限定されるものではない。
【００５５】
さらに、以上の実施例は、特にインクジェット記録方式の中でも、インク吐出を行わせるために利用されるエネルギーとして熱エネルギーを発生する手段（例えば電気熱変換体等）を備えている。そのため、その熱エネルギーによりインクの状態変化を生起させる方式を用いることにより記録の高密度化、高精細化が達成できる。
【００５６】
さらに加えて、本発明のインクジェット記録装置の形態としては、コンピュータ等の情報処理機器の画像出力装置として用いられるものの他、リーダ等と組合せた複写装置、さらには送受信機能を有するファクシミリ装置の形態を採るもの等であってもよい。
【図面の簡単な説明】
【００５７】
【図１Ａ】本発明の代表的な実施例であるり多機能記録装置（ＭＦＰ）１０１の記録部の概略構成を示す斜視図である。
【図１Ｂ】ＭＦＰ１０１の上面図である。
【図２】記録装置の制御回路の構成を示すブロック図である。
【図３】ＬＥＤコントローラの構成を示すブロック図である。
【図４】図３に示すＬＥＤコントローラの各部の信号波形を示すタイムチャートである。
【符号の説明】
【００５８】
４０２  記録ヘッド
１０１  マスク回路
１０２  保護回路
１０３  ＡＮＤゲート
１０４  電流計
１０５  定電流制御回路
１１０  （電流制御用）トランジスタ
１１１  （ＬＥＤ点灯制御用）トランジスタ
１１２  チョークコイル（Ｌ）
１１３  コンデンサ（Ｃ）
１１４  ＬＥＤ
１１５  電流検出抵抗（Ｒｓ）
１１６  ショットキーバリアダイオード（ＳＢＤ）
【図１Ａ】
2010157477.tif 000003
【図１Ｂ】
2010157477.tif 000004
【図２】
2010157477.tif 000005
【図３】
2010157477.tif 000006
【図４】
2010157477.tif 000007